(57)【要約】  コンデンサの製造工程を複雑化させることなく、かつ、基板表面に横向きにコンデンサが基板に取り付けられた場合において、安全弁から放出されるガスの放出方向が常に一定方向に特定されること。  コンデンサ本体２０と、一方の端面２２Ａに設けられた２本のリード線２４Ａ，２４Ｂと、他方の端面の略中央部に設けられた凸部２６と、他方の端面２２に設けられた２つ以上の安全弁２８Ａ，２８Ｂと、を少なくとも有し、他方の端面２２Ｂにおいて、２つ以上の安全弁が２８Ａ，２８Ｂ、凸部２６に対して略回転対称を成すように配置され、かつ、凸部２６の軸方向中心線と、コンデンサ１０Ａの軸方向中心線とが略一致しているコンデンサ、当該コンデンサに用いるコンデンサ用ケース、および、当該コンデンサを用いた回路付き基板。
2012077460.tif 000002
【特許請求の範囲】
【請求項１】
略柱状のコンデンサ本体と、
前記コンデンサ本体の一方の端面に設けられた２本の電極端子と、
前記コンデンサ本体の他方の端面の略中央部に設けられた凸部と、
前記他方の端面に設けられた２つ以上の安全弁と、を少なくとも有し、
前記他方の端面において、前記２つ以上の安全弁が、前記凸部に対して略回転対称を成すように配置され、かつ、
前記凸部の軸方向中心線と、前記コンデンサの軸方向中心線とが略一致していることを特徴とするコンデンサ。
【請求項２】
請求項１に記載のコンデンサにおいて、
前記他方の端面に、前記安全弁が２つ設けられていることを特徴とするコンデンサ。
【請求項３】
請求項１または２に記載のコンデンサにおいて、
前記凸部が、柱状部材からなり、
前記柱状部材に対して、固定用補助端子が取り付けられていることを特徴とするコンデンサ。
【請求項４】
請求項１または２に記載のコンデンサにおいて、
前記凸部が、柱状部材からなり、
前記柱状部材の頂面に線状部材が取り付けられていることを特徴とするコンデンサ。
【請求項５】
請求項１または２に記載のコンデンサにおいて、
前記凸部が、線状端子であることを特徴とするコンデンサ。
【請求項６】
請求項３または４に記載のコンデンサにおいて、
前記コンデンサ本体が、
コンデンサ素子と、
該コンデンサ素子に接続された前記２本の電極端子と、
前記コンデンサ素子を収納する底付きの筒状ケースと、
該筒状ケースの底部の外面の略中央部に設けられた前記柱状部材と、を少なくとも備え、
前記筒状ケースと前記柱状部材とが一体成形されていることを特徴とするコンデンサ。
【請求項７】
請求項１〜６のいずれか１つに記載のコンデンサにおいて、
前記コンデンサの直径に対する長さの比が、１．２以上であることを特徴とするコンデンサ。
【請求項８】
底付きの筒状ケースと、
該筒状ケースの底部の外面の略中央部に設けられた凸部と、
前記外面において、前記凸部に対して略回転対称を成すように配置された２つ以上の安全弁と、を少なくとも有することを特徴とするコンデンサ用ケース。
【請求項９】
厚み方向に貫通する３つ以上の貫通穴を有する基板と、
請求項３、６、７のいずれか１つに記載のコンデンサと、を少なくとも備え、
前記２本の電極端子および前記固定用補助端子が、前記３つ以上の貫通穴から選択されたいずれか３つの貫通穴に各々差し込まれた状態で、前記コンデンサが前記基板に固定されていることを特徴とする回路付き基板。
【請求項１０】
厚み方向に貫通する３つ以上の貫通穴を有する基板と、
請求項４、６、７のいずれか１つに記載のコンデンサと、を少なくとも備え、
前記２本の電極端子および前記柱状部材の頂面に設けられた線状部材が、前記３つ以上の貫通穴から選択されたいずれか３つの貫通穴に各々差し込まれた状態で、前記コンデンサが前記基板に固定されていることを特徴とする回路付き基板。
【請求項１１】
厚み方向に貫通する３つ以上の貫通穴を有する基板と、
請求項５〜７のいずれか１つに記載のコンデンサと、を少なくとも備え、
前記２本の電極端子および前記他方の端面に設けられた線状端子が、前記３つ以上の貫通穴から選択されたいずれか３つの貫通穴に各々差し込まれた状態で、前記コンデンサが前記基板に固定されていることを特徴とする回路付き基板。
【発明の詳細な説明】
【技術分野】
【０００１】
本発明は、コンデンサ、コンデンサ用ケースおよび回路付き基板に関するものである。
【背景技術】
【０００２】
電解コンデンサは電解液を含有するコンデンサ素子を金属ケース内に収納している。そして、この電解コンデンサに定格よりも高い電圧が印加されるなどにより電解コンデンサが故障すると、ガス（水素ガス）が発生したり電解液が蒸気化したりすることにより金属ケースの内圧が上昇する。内圧が急上昇すると電解コンデンサが爆発することがあり、これを防ぐために、電解コンデンサには、内圧が所定の閾値を超えた場合に開弁する安全弁が設けられる（たとえば、特許文献１等参照）。この安全弁は、柱状の電解コンデンサの頭面に設けられたり、あるいは、電解コンデンサの側面に１つ設けられる。【０００３】
柱状の電解コンデンサを備えた各種の回路付き基板の組み立てに際しては、回路付き基板を構成する基板に、電解コンデンサが半田付けにより実装される。この際、電解コンデンサ本体の一方の端面側から、電解コンデンサ本体の軸方向に伸びる２本のリード線が基板に設けられた貫通穴に差し込まれた状態で半田付けされる。しかし、この場合、電解コンデンサが、基板に対して略垂直に立った状態で取り付けられることになるため、回路付き基板を備えた電子機器を薄型化・小型化することができない。【０００４】
このため、電解コンデンサを、基板に対して寝かせた状態で基板に実装した回路付き基板を作製する技術が提案されている（特許文献２〜６参照）。これらの技術では、電解コンデンサ本体の２本のリード線が設けられた側と反対側の端面に、電解コンデンサ本体の直径よりも十分に長く、かつ、電気的に機能しないリード線等からなる１本の補助端子を設け、２本のリード線と共に、この補助端子を基板の貫通穴に差し込んで半田付けすることにより、電解コンデンサを基板に実装する。
【先行技術文献】
【特許文献】
【０００５】
【特許文献１】実開平０１−１２９８１９号公報（図１）
【特許文献２】特開平９−９７７４１号公報（図１、図１５等）
【特許文献３】特開昭６４−５５８１８号公報（図４、図５等）
【特許文献４】特開平４−３７１１０号公報（図１等）
【特許文献５】特開昭６２−６８２２５号公報（図１等）
【特許文献６】特開昭５４−２１４０号公報（図３等）
【発明の概要】
【発明が解決しようとする課題】
【０００６】
一方、特許文献２〜６に例示される電解コンデンサにおいて安全弁を設けようとした場合、通常、安全弁は、電解コンデンサ本体の外周面に設けられていた。この理由は、既に補助端子が取り付けられた端面に安全弁を設けることは技術的には可能であっても、この端面と比べて、外周面の方が、安全弁を形成するスペースの確保が極めて容易だからである。これに加えて、端面のような元々狭い領域内に、補助端子が既に取り付けられている面に、さらに安全弁を設けるよりも、外周面のような広い領域内に安全弁を設けた方が、設計段階では予知し得ない不測のトラブルも防止し易いためである。【０００７】
しかしながら、基板表面と電解コンデンサの軸方向中心線とが略平行を成すように、２本のリード線と１本の補助端子を基板の貫通穴に差し込んで半田付けし、基板に対して電解コンデンサを固定する場合、次のような問題が生じる。すなわち、この場合、電解コンデンサの側面に安全弁が設けられているときは、安全弁の開弁により電解コンデンサ内から放出されるガスの向きを特定の方向に向けることができない。このため、（１）電解コンデンサから放出されたガスが、回路付き基板を内蔵する電子機器の外部へと吹き出すことにより、電子機器を使用するユーザーに不安を与える可能性や、あるいは、（２）基板上に配置されたその他の電子部品に放出されたガスが吹き付けられることで、当該その他の電子部品に悪影響を及ぼす可能性がある。そして、これらの問題は、故障によりコンデンサ内部に発生したガスを外部へと放出するための安全弁を設ける必要性のある電解型以外のその他のタイプのコンデンサにおいても同様に生じ得る。【０００８】
このような問題を防止するためには、たとえば、コンデンサの外周面に設けられる安全弁を、２本のリード線が設けられた側の端面と、２本のリード線との２つの交点を結ぶ直線に対して略平行な位置に配置する方法が挙げられる。この場合、基板上に固定されたコンデンサから放出されるガスの放出方向を、必ず基板表面に対して略平行方向に向けることができる。しかしながら、上記に一例を示したように、２本のリード線に対する安全弁の配置位置を特定した状態でコンデンサを作製しようとすると、コンデンサの製造時に、コンデンサを構成する筐体（筒状ケース）の外周面に設けられた安全弁の位置を基準として、２本のリード線を取り付ける必要がある。このため、コンデンサの製造工程が複雑化し、実用性に乏しい。【０００９】
本発明は、上記事情に鑑みてなされたものであり、コンデンサの製造工程を複雑化させることなく、かつ、基板表面に対して、コンデンサの軸方向が略平行を成すようにコンデンサが基板に取り付けられた場合において、安全弁から放出されるガスの放出方向が常に一定方向に特定されるコンデンサ、当該コンデンサに用いるコンデンサ用ケース、および、当該コンデンサを用いた回路付き基板を提供することを課題とする。
【課題を解決するための手段】
【００１０】
前記課題は以下の本発明により達成される。すなわち、
本発明のコンデンサは、略柱状のコンデンサ本体と、コンデンサ本体の一方の端面に設けられた２本の電極端子と、コンデンサ本体の他方の端面の略中央部に設けられた凸部と、他方の端面に設けられた２つ以上の安全弁と、を少なくとも有し、他方の端面において、２つ以上の安全弁が、凸部に対して略回転対称を成すように配置され、かつ、凸部の軸方向中心線と、コンデンサの軸方向中心線とが略一致していることを特徴とする。【００１１】
本発明のコンデンサの一実施態様は、他方の端面に、安全弁が２つ設けられていることが好ましい。【００１２】
本発明のコンデンサの他の実施態様は、凸部が、柱状部材からなり、柱状部材に対して、固定用補助端子が取り付けられていることが好ましい。【００１３】
本発明のコンデンサの他の実施態様は、凸部が、柱状部材からなり、柱状部材の頂面に線状部材が取り付けられていることが好ましい。【００１４】
本発明のコンデンサの他の実施態様は、凸部が、線状端子であることが好ましい。【００１５】
本発明のコンデンサの他の実施態様は、コンデンサ本体が、コンデンサ素子と、該コンデンサ素子に接続された２本の電極端子と、コンデンサ素子を収納する底付きの筒状ケースと、該筒状ケースの底部の外面の略中央部に設けられた柱状部材と、を少なくとも備え、筒状ケースと柱状部材とが一体成形されていることが好ましい。【００１６】
本発明のコンデンサの他の実施態様は、コンデンサの直径に対する長さの比が、１．２以上であることが好ましい。【００１７】
本発明のコンデンサ用ケースは、底付きの筒状ケースと、該筒状ケースの底部の外面の略中央部に設けられた凸部と、外面において、凸部に対して略回転対称を成すように配置された２つ以上の安全弁と、を少なくとも有することを特徴とする。【００１８】
第一の本発明の回路付き基板は、厚み方向に貫通する３つ以上の貫通穴を有する基板と、凸部が柱状部材からなり、柱状部材に固定用補助端子が取り付けられた本発明のコンデンサと、を少なくとも備え、２本の電極端子および固定用補助端子が、３つ以上の貫通穴から選択されたいずれか３つの貫通穴に各々差し込まれた状態で、コンデンサが基板に固定されていることを特徴とする。【００１９】
第二の本発明の回路付き基板は、厚み方向に貫通する３つ以上の貫通穴を有する基板と、凸部が柱状部材からなり、柱状部材の頂面に線状部材が取り付けられた本発明のコンデンサと、を少なくとも備え、２本の電極端子および柱状部材の頂面に設けられた線状部材が、３つ以上の貫通穴から選択されたいずれか３つの貫通穴に各々差し込まれた状態で、コンデンサが基板に固定されていることを特徴とする。【００２０】
第三の本発明の回路付き基板は、厚み方向に貫通する３つ以上の貫通穴を有する基板と、凸部が線状端子からなる本発明のコンデンサと、を少なくとも備え、２本の電極端子および他方の端面に設けられた線状端子が、３つ以上の貫通穴から選択されたいずれか３つの貫通穴に各々差し込まれた状態で、コンデンサが基板に固定されていることを特徴とする。
【発明の効果】
【００２１】
本発明によれば、コンデンサの製造工程を複雑化させることなく、かつ、基板表面に対して、コンデンサの軸方向が略平行を成すようにコンデンサが基板に取り付けられた場合において、安全弁から放出されるガスの放出方向が常に一定方向に特定されるコンデンサ、当該コンデンサに用いるコンデンサ用ケース、および、当該コンデンサを用いた回路付き基板を提供することができる。
【図面の簡単な説明】
【００２２】
【図１】本実施形態のコンデンサの一例を示す概略模式図である。ここで、図１（Ａ）は、コンデンサを側面側から見た側面図であり、図１（Ｂ）は、コンデンサを上面側から見た上面図であり、図１（Ｃ）は、コンデンサを凸部が設けられた端面側から見た正面図である。
【図２】本実施形態のコンデンサの他の例を示す正面図である。
【図３】本実施形態のコンデンサの他の例を示す正面図である。
【図４】本実施形態のコンデンサの他の例を示す概略模式図である。ここで図４（Ａ）は、コンデンサ本体を側面から見た側面図であり、図４（Ｂ）は、図４（Ａ）の断面図である。
【図５】本実施形態のコンデンサの他の例を示す側面図である。
【図６】本実施形態のコンデンサの他の例を示す側面図である。
【図７】本実施形態のコンデンサに用いるコンデンサ本体の断面構造の一例を示す模式断面図である。
【図８】本実施形態のコンデンサ用ケースの一例を示す模式図である。ここで、図８（Ａ）は、コンデンサ用ケースの側面図であり、図８（Ｂ）は、コンデンサ用ケースの正面図である。
【図９】第一の本実施形態の回路付き基板の一例を示す模式図である。ここで、図９（Ａ）は、コンデンサ本体を側面から見た断面図を示し、図９（Ｂ）は、コンデンサ本体の一方の端面側から見た断面図を示し、図９（Ｃ）は、コンデンサ本体の他方の端面側から見た断面図を示す。
【図１０】第二の本実施形態の回路付き基板の一例を示す模式断面図である。
【図１１】第三の本実施形態の回路付き基板の一例を示す模式断面図である。
【発明を実施するための形態】
【００２３】
図１は、本実施形態のコンデンサの一例を示す概略模式図である。ここで、図１（Ａ）が、コンデンサを側面側から見た側面図であり、図１（Ｂ）がコンデンサを上面側から見た上面図であり、図１（Ｃ）がコンデンサを凸部が設けられた端面側から見た正面図である。なお、図１（Ａ）中の矢印Ｕ方向から見た図が図１（Ｂ）に相当し、図１（Ａ）中の矢印Ｅ方向から見た図が図１（Ｃ）に相当する。
【００２４】
図１に示すコンデンサ１０Ａ（１０）は、略円柱状のコンデンサ本体２０と、コンデンサ本体２０の一方の端面２２Ａに設けられた２本の電極端子（リード線２４Ａ、２４Ｂ）と、コンデンサ本体２０の他方の端面２２Ｂの略中央部に設けられた円柱形状の柱状部材２６Ａ（凸部２６）と、他方の端面２２Ｂに設けられた２つの安全弁２８Ａ、２８Ｂ（２８）と、を少なくとも有する。なお、電極端子は、図１に例示したリード線に限らず、コンデンサ用の電極端子として利用可能な公知の電極端子であればいずれの電極端子を用いてもよい。
【００２５】
ここで、図１（Ｃ）に示すように、他方の端面２２Ｂにおいて、安全弁２８Ａおよび安全弁２８Ｂは、柱状部材２６Ａに対して略回転対称を成すように配置されている。また、図１（Ａ）および図１（Ｂ）に示すように、柱状部材２６Ａの軸方向中心線と、コンデンサ本体２０の軸方向中心線Ｃ１とは略一致している。すなわち、この軸方向中心Ｃ１は、コンデンサ１０Ａの軸方向中心線ともなっている。
【００２６】
このため、基板表面に対して、コンデンサ１０Ａの軸方向中心線Ｃ１が略平行を成すようにコンデンサ１０Ａが基板に取り付けられた場合において、安全弁２８Ａ、２８Ｂから放出されるガスの放出方向は常に、コンデンサ本体２０の端面２２Ｂ側のみに特定されることになる。また、この場合、図１（Ｃ）に示すように、安全弁２８Ａおよび安全弁２８Ｂは、柱状部材２６Ａに対して略回転対称を成すように配置される限り、端面２２Ａ側に位置する２本のリード線２４Ａ、２４Ｂの配置位置に関係なく、端面２２Ｂ内の任意の位置に配置できる。このため、コンデンサ１０Ａの製造時に、コンデンサ１０Ａを構成する筐体（筒状ケース）の端面、すなわち、端面２２Ｂに設けられた安全弁２８Ａ、２８Ｂの位置に関係無く、２本のリード線２４Ａ、２４Ｂを取り付けることができる。このため、コンデンサの製造工程が従来以上に複雑化することも無い。
【００２７】
なお、安全弁２８の数は、図１に例示した２つに限定されるものではなく、２つ以上であれば任意に選択できる。図２は、本実施形態のコンデンサの他の例を示す正面図であり、柱状部材２６Ａ（凸部２６）側から見た図である。ここで、図２（Ａ）に示すコンデンサ１０Ｂ（１０）では、柱状部材２６Ａ（凸部２６）に対して略回転対称を成すように３つの安全弁２８Ａ、２８Ｂ、２８Ｃが配置されており、図２（Ｂ）に示すコンデンサ１０Ｃ（１０）では、柱状部材２６Ａ（凸部２６）に対して略回転対称を成すように４つの安全弁２８Ａ、２８Ｂ、２８Ｃ、２８Ｄが配置されている。なお、端面２２Ｂに設けられた安全弁２８の数を除いてコンデンサ１０Ｂ、１０Ｃのその他の構成は、図１に示すコンデンサ１０Ａと同様である。
【００２８】
図１および図２に例示したような本実施形態のコンデンサ１０では、端面２２Ｂに、安全弁２８が凸部２６に対して略回転対称を成すように２つ以上設けられる。しかしながら、コンデンサ本体２０内に発生したガスが、２つ以上の安全弁２８を介して外部に放出される場合、開弁するのはいずれか１つである。たとえば、図１（Ｃ）に示す例であれば、安全弁２８Ａおよび安全弁２８Ｂのうち、安全弁２８Ａのみが開弁するか、あるいは、安全弁２８Ｂのみが開弁する。したがって、ガスの放出という観点では、安全弁２８の数は１つで十分である。
【００２９】
ここで、安全弁２８の数が１つである場合、後述する軸ズレ防止という観点で、凸部２６に対する安全弁２８の配置には、対称性が欠けることになる。これに加えて、安全弁２８は、コンデンサ本体２０内が高圧となった際に、圧力が集中して開裂しやすいように、端面２２Ｂを構成する金属板部分に対して、プレス加工するなどにより形成される。このため、安全弁２８の形成に際して、コンデンサ本体２０Ａの軸方向中心線Ｃ１に対して、端面２２Ｂに設けられた凸部２６の中心軸が大きく傾斜してしまうことは避けられない。このような軸ズレが生じた場合、回路付き基板を作製する際に、コンデンサ１０の基板への取り付けが困難となる。また、軸ズレを有するコンデンサ１０を基板に取り付けようとした場合、コンデンサ１０毎に軸ズレの度合が異なる点を考慮して、手作業で軸ズレを修正する必要があるため、作業が極めて煩雑になる。
【００３０】
しかしながら、本実施形態のコンデンサ１０では、端面２２Ｂの略中央部に配置された凸部２６に対して、略回転対称を成すように２つ以上の安全弁２８が設けられる。このため、安全弁２８の形成に際して、コンデンサ本体２０Ａの軸方向中心線Ｃ１に対して、端面２２Ｂに設けられた凸部２６の中心軸が大きく傾斜してしまうことが無い。それゆえ、上述したような問題が生じるのを防ぐことができる。
【００３１】
なお、以上に説明した点を考慮すれば、軸ズレも確実に防止しつつ、狭い面積を有する端面２２Ｂ内での安全弁２８の形成を容易とする観点から、端面２２Ｂに設けられる安全弁２８の数は、２つが最も好ましい。また、安全弁２８の平面方向の形状は、図１および図２に例示した”十文字”形状以外にも、コンデンサ本体２０内が高圧となった際に、開裂してガスが放出できる形状であれば特に限定されず、たとえば、直線状、Ｖ字状、Ｙ字状、Ｋ字状等の形状であってもよい。
【００３２】
また、図１および図２に例示したように、安全弁２８は、凸部２６に対して略回転対称を成すようにされていることが必要であるが、凸部２６に対して完全に回転対称を成すように配置されていることが最も好ましい。また、当該「略回転対称」として許容される範囲は、回路付き基板へのコンデンサ１０の取付に際して支障が出るような軸ズレが効果的に防止できるのであれば特に限定されない。
【００３３】
ここで、凸部２６に対して、複数個の安全弁２８から選択されたいずれか１つの安全弁２８（たとえば、図１および図２中の安全弁２８Ａ)の配置位置を基準角度（０度）とした場合、円周方向に隣接して配置された他の安全弁２８（図１では安全弁２８Ｂ、図２では安全弁２８Ｂ、２８Ｃ、図３では安全弁２８Ｂ、２８Ｄ）の凸部２６に対する配置角度θは、回路付き基板へのコンデンサ１０の取付時に支障を来す軸ズレを抑制する観点から、以下の通りであることが好ましい。すなわち、安全弁２８の数が２つの場合（略２回対称の場合）、配置角度θは１８０度±３０度の範囲内が好ましく、１８０度±２２．５度の範囲内がより好ましい。また、安全弁２８の数が３つの場合（略３回対称の場合）、配置角度θは１２０度±３０度の範囲内が好ましく、１２０度±２２．５度の範囲内がより好ましい。また、安全弁２８の数が４つの場合（略４回対称の場合）、配置角度θは９０度±２２．５度の範囲内が好ましく、９０度±１５度の範囲内がより好ましい。
【００３４】
一方、端面２２Ｂの形状が半径ｒ（ｍｍ）を有する円形状である場合、凸部２６の中心点から各々の安全弁２８の中心点までの距離Ｘ（ｍｍ）は、ｒ／４〜３ｒ／４の範囲内が好ましく、ｒ／３〜２ｒ／３の範囲内がより好ましい。また、回路付き基板へのコンデンサ１０の取付時に支障を来す軸ズレを抑制する観点から、個々の安全弁２８の距離Ｘの最大ばらつきは、ｒ／１０以下が好ましい。
【００３５】
なお、配置角度θおよび距離Ｘを求める場合、凸部２６の中心点と、安全弁２８の中心点とを基準とする。ここで、安全弁２８の中心点とは、安全弁２８の形状が直線状である場合には、直線を２等分した位置を意味する。また、直線以外の形状の場合には、安全弁２８を構成する形状（ライン）の最外端同士を結んだ図形の重心を意味する。たとえば、安全弁２８の形状がＹ字状やＶ字状なら３角形の重心が、安全弁２８の中心点であり、安全弁２８の形状が十字状やＫ字状なら四角形の重心が、安全弁２８の中心点である。
【００３６】
また、端面２２Ｂの形状が短径ｒ１（ｍｍ）と長径ｒ２（ｍｍ）とを有する楕円形である場合、安全弁２８の数は偶数個とすることが好ましく、４つまたは２つが好ましく、２つが最も好ましい。ここで、安全弁２８の数が２つの場合には、長径方向または短径方向に沿って２つの安全弁２８が配置されることが好ましい。また、安全弁２８の数が４つの場合、長径方向および短径方向に沿って４つの安全弁２８を配置するか、あるいは、楕円の中心点にて交差するように長径方向に対して±４５度の角度を成す２本の直線に沿って４つの安全弁を配置することが好ましい。
【００３７】
凸部２６が、図１および図２に例示されるような柱状部材２６Ａである場合、柱状部材２６Ａそれ自体は、太くて折り曲げ困難である上に長さも短いため、補助端子として機能しない。この場合、コンデンサ１０は、さらに固定用補助端子を有する。ここで、基板に対してコンデンサ１０を固定できるように、柱状部材２６Ａには、たとえば、固定用補助端子を取り付けることができる。
【００３８】
図３は、本実施形態のコンデンサの他の例を示す模式図であり、図１または図２に示すコンデンサ本体２０の柱状部材２６Ａに固定用補助端子３０Ａ（３０）が取り付けられた状態を示す模式図である。ここで、図３（Ａ）は、図１（Ａ）と同様にコンデンサ本体２０を側面から見た側面図であり、図３（Ｂ）は、図１（Ａ）と同様にコンデンサ本体２０を端面２２Ｂ側から見た正面図である。なお、図３（Ｂ）中、安全弁２８については記載を省略してある。
【００３９】
図３に示すコンデンサ１０Ｄ（１０）の柱状部材２６Ａに取り付けられた固定用補助端子３０Ａ（３０）は、同心円形状のリング状部材３２（取付部材３０）と棒状部材３４とから構成されている。そして、リング状部材３２の中心に設けられる円形孔である開口部（中空部）３６の中心を、棒状部材３４の軸方向中心線Ｃ２（図３（Ａ）および図３（Ｂ）中、一点鎖線で示される直線Ｃ２）が通過するように、リング状部材３２の外縁部に棒状部材３４が接続されている。ここで、棒状部材３４は、その軸方向中心線Ｃ２が、２本のリード線２４Ａ、２４Ｂと端面２２Ａとが交差する２点間を結ぶ直線Ｌ（図１（Ｂ）および図３（Ｂ）中、点線で示される直線Ｌ）に対して略直交するように配置される。このように棒状部材３４を配置することにより、２本のリード線２４Ａ、２４Ｂを、棒状部材３４の軸方向中心線Ｃ２と略平行を成すように、棒状部材３４が設けられた側へと折り曲げることで、図中、不図示の基板の貫通穴に対してリード線２４Ａ、２４Ｂおよび棒状部材３４を差し込んだ後に、半田付けすることが極めて容易となる。そして、リング状部材３２の開口部３６内に凸部２６が差し込まれた状態で、リング状部材３２が柱状部材２６Ａに対して固定されている。なお、固定用補助端子３０Ａは、たとえば、柱状部材２６Ａの軸方向中心線Ｃ１に対して略直交する２つまたは３つの方向から、リング状部材３２をかしめて圧着固定したり、リング状部材３２と柱状部材２６Ａとを接着したりすることで、柱状部材２６Ａに取り付けることができる。なお、図３に示す例では、リング状部材３２と棒状部材３４とは一体的に成形された一つの部品を構成している。
【００４０】
また、リング状部材３２の内縁側に沿って、開口部３６の軸方向と略平行を成すように伸びるバーリング部を設けることもできる。このバーリング部は、バーリング加工により形成することができ、開口部３６の周方向に対して、たとえば、均等に４分割されていてもよい。
【００４１】
図４は、本実施形態のコンデンサの他の例を示す概略模式図であり、図１または図２に示すコンデンサ本体２０の柱状部材２６Ａに固定用補助端子３０Ｂ（３０）が取り付けられた状態を示す模式図である。ここで、図４（Ａ）は、図１（Ａ）と同様にコンデンサ本体２０を側面から見た側面図であり、図４（Ｂ）は、図４（Ａ）の断面図である。なお、図４（Ｂ）中、コンデンサ本体２０内部の断面構造の詳細については記載を省略してある。
【００４２】
図４に示すコンデンサ１０Ｅ（１０）に用いられる固定用補助端子３０Ｂ（３０）は、底付き筒状部材３６（取付部材３０）と、筒状部材３６の底部３６Ｂの外面に接続された棒状部材３４と、を有する。なお、棒状部材３４は、その軸方向が、コンデンサ本体２０の軸方向中心線Ｃ１と略一致するように、筒状部材３６の底部３６Ｂに接続されている。また、筒状部材３６および棒状部材３４の軸方向中心線は、図４に示す例では、凸部２６およびコンデンサ本体２０の軸方向中心線Ｃ１とも一致している。ここで、固定用補助端子３０Ｂは、筒状部材３６の両側から力を加えてかしめることで、コンデンサ本体２０に取り付けてもよく、接着剤を用いて取り付けてもよい。なお、回路付き基板の作製に際して、基板にコンデンサ１０Ｅを取り付ける場合には、２本のリード線２４Ａ、２４Ｂ（図４中、不図示）および棒状部材３４は、３本共に同じ方向に折り曲げられた後、基板の貫通穴に差し込まれ、半田付けされる。
【００４３】
なお、固定用補助端子３０としては、図３および図４に例示したもの以外にも、柱状部材２６Ａに対して取付可能な構造を有する取付部材３０と、この取付部材３０に接続された棒状部分３４とを有するものであれば、様々な構造を有するものが利用できる。また、固定用補助端子３０は、図２に示すコンデンサ１０Ｂ，１０Ｃにも利用できる。
【００４４】
図３および図４に示した例では、柱状部材２６Ａに固定用補助端子３０を取り付けることで、補助端子としての機能を確保している。しかしながら、図５に示すコンデンサ１０Ｆ（１０）のように、柱状部材２６Ａの頂面２６ＡＴに線状部材４０を取り付けたり、図６に示すコンデンサ１０Ｇ（１０）ように、凸部２６として、柱状部材２６Ａの代わりに線状端子２６Ｂを用いることで、補助端子としての機能を確保することもできる。なお、線状部材４０は、溶接または接着により、頂面２６ＡＴに取り付けることができる。また、線状端子２６Ｂは、溶接または接着により、端面２２Ｂの中央部近傍に取り付けることができる。そして、回路付き基板の作製に際して、コンデンサ１０Ｆを取り付ける場合には、２本のリード線２４Ａ、２４Ｂ（図５中、不図示）および線状部材４０は、３本共に同じ方向に折り曲げられた後、基板の貫通穴に差し込まれ、半田付けされる。同様に、回路付き基板の作製に際して、コンデンサ１０Ｇを取り付ける場合には、２本のリード線２４Ａ、２４Ｂ（図５中、不図示）および線状端子２６Ｂは、３本共に同じ方向に折り曲げられた後、基板の貫通穴に差し込まれ、半田付けされる。
【００４５】
ここで、柱状部材２６Ａは、折り曲げ困難な太さおよび材質を有する柱状部材であり、具体的には、直径が１ｍｍ以上のアルミニウム、アルミニウム合金等からなる金属製の柱状部材を意味する。柱状部材２６Ａを構成する材料は、電解コンデンサ本体２０の外殻を構成するコンデンサ用ケースと同じ材料か構成されることが好ましい。なお、柱状部材２６Ａの直径は１．５ｍｍ〜５ｍｍの範囲内が好ましい。また、線状部材４０または線状端子４２は、折り曲げ容易な太さおよび材質を有する柱状部材であり、具体的には直径が１．５ｍｍ以下の銅、銅合金、鉄、Ｃｐ線等の半田に対する濡れ性の高い材料からなるリード線またはメッキコート付きのリード線等の金属線材を意味する。なお、線状部材４０または線状端子４２の直径は０．４ｍｍ〜１．２ｍｍの範囲内が好ましい。また、柱状部材２６Ａ、線状部材４０または線状端子４２の断面形状が円形以外の場合、「直径」とは、当該断面と同じ面積を有する円の直径（面積換算直径）を意味する。
【００４６】
次に、本実施形態のコンデンサ１０に用いるコンデンサ本体２０について説明する。このコンデンサ本体２０は、２本のリード線２４Ａ、２４Ｂが設けられた側の端面２２Ａと反対側の端面２２Ｂに凸部２６が設けられている以外は、従来公知のコンデンサと同様のものが利用できる。
【００４７】
コンデンサ本体２０は、従来のコンデンサと同様に、通常、コンデンサ素子と、このコンデンサ素子に接続された２本のリード線２４Ａ、２４Ｂと、コンデンサ素子を収納する底付きの筒状ケースと、を少なくとも有する。さらに、コンデンサ本体２０は筒状ケースの底面の外側に突出するように凸部２６が設けられる。
【００４８】
なお、凸部２６が、図１〜図５に例示する柱状部材２６Ａである場合、柱状部材２６Ａは、筒状ケースの底面に対して、溶接や接着を利用して配置することも可能であるが、筒状ケースと柱状部材２６Ａとが一体成形されていることが特に好ましい。この理由は、柱状部材２６Ａ以外の部分が実質的に完成した状態のコンデンサ本体２０に対して、柱状部材２６Ａを溶接等により取り付けようとすると、コンデンサ本体２０の軸方向に押圧力が加わることになるためである。すなわち、この場合、コンデンサ本体２０内に収納されたコンデンサ素子に圧力が加わることになり、コンデンサ１０の電気的特性にばらつき等が生じやすくなる。さらに、筒状ケースと柱状部材２６Ａとが一体成形されていれば、コンデンサ１０の製造に際して、柱状部材２６Ａを取り付ける工程を省略することもできる。
【００４９】
図７は、本実施形態のコンデンサ１０に用いるコンデンサ本体２０の断面構造の一例を示す模式断面図であり、具体的には、図１〜図５に示すコンデンサ本体２０の断面構造について示したものである。なお、図７では、コンデンサ本体２０の柱状部材２６Ａが設けられた側の断面構造について示し、リード線２４Ａ、２４Ｂが設けられた側の断面構造については記載を省略してある。
【００５０】
図７に示す例では、コンデンサ本体２０は、底付きの筒状ケース５０の内部に、コンデンサ素子５２が収納されている。そして、筒状ケース５０の底部５０Ｂの外面、すなわち、端面２２Ｂには、筒状ケース５０と一体的に形成された柱状部材２６Ａが設けられている。コンデンサ素子５２の構造は、コンデンサの種類に応じて適宜選択される。たとえば、本実施形態のコンデンサ１０が、電解コンデンサである場合、コンデンサ素子５２は、陽極箔と電解紙と陰極箔とをこの順に積層した積層シートを巻回することで構成されている。ここで、陽極箔は、粗面化したアルミ箔の表面に、誘電体として機能する酸化アルミニウム膜を有する。陰極箔は、アルミ箔からなる。電解紙は、有機溶媒を用いた電解液を含浸させた紙基材であり、陽極箔と陰極箔とが接触することを防止する。また、コンデンサ素子５２には、２本のリード線２４Ａ、２４Ｂが電気的に接続されており、一方のリード線２４Ａが陽極箔に接続され、他方のリード線２４Ｂが陰極箔に接続されている。また、筒状ケース５０は、通常、アルミニウム等の金属から構成され、金属板をプレス加工等することで、柱状部材２６Ａと一体的に形成することができる。
【００５１】
柱状部材２６Ａの高さは特に限定されないが、具体的には下式（１）を満たすことが好ましい。
・式（１）  ０＜Ｈｐ≦ＤＣ／１．５
【００５２】
ここで、式（１）中、Ｈｐは、柱状部材２６Ａの高さ（ｍｍ）を表し、ＤＣは、コンデンサ本体２０の直径（ｍｍ）を表す。高さＨｐをコンデンサ本体２０の直径ＤＣ／１．５以下とすることにより、従来の補助端子付きのコンデンサあるいは図６に例示した線状端子２６Ｂ付きのコンデンサ本体２０と比べて、図１〜図５に例示した柱状部材２６Ａ付きのコンデンサ本体２０の長さを非常にコンパクトなものとすることができる。このため、図１〜図６に例示した柱状部材２６Ａ付きのコンデンサ本体２０またはその中間製品の作製に際して、従来の補助端子付きのコンデンサあるいは図６に例示した線状端子２６Ｂ付きのコンデンサ本体２０と比べて、取り扱いが極めて容易になる。これに加えて、既存の補助端子の無いコンデンサ用の製造ラインに対して多少の改造を加えるのみで、あるいは、実質的に殆ど改造すること無く、図１〜図５に例示したコンデンサ１０Ａ、１０Ｂ、１０Ｃ、１０Ｄ、１０Ｅ、１０Ｆを製造することも極めて容易となる。なお、高さＨｐは、ＤＣ／１〜ＤＣ／１．５の範囲内がより好ましい。
【００５３】
本実施形態のコンデンサ１０の作製に用いられるコンデンサ用ケースとしては、底付きの筒状ケースと、この筒状ケースの底部の外面の略中央部に設けられた凸部２６と、当該外面において、凸部２６に対して略回転対称を成すように配置された２つ以上の安全弁２８とを、少なくとも有するものを用いることが特に好ましい。
【００５４】
図８は、本実施形態のコンデンサ用ケースの一例を示す模式図であり、具体的には、図１〜図５に示すコンデンサ１０Ａ、１０Ｂ、１０Ｃ、１０Ｄ、１０Ｅ、１０Ｆの作製に用いるコンデンサ用ケースについて示す図である。ここで、図８（Ａ）がコンデンサ用ケースの側面図であり、図８（Ｂ）がコンデンサ用ケースの正面図（底面図）である。図８に示すコンデンサ用ケース１００は、底付きの筒状ケース１１０と筒状ケース１１０の底部の外面１１０Ｂ（コンデンサ本体２０の端面２２Ｂに相当）の略中央部に設けられた柱状部材２６Ａ（凸部２６）とを、有している。なお、筒状ケース１１０の端面２２Ｂと反対側の端は、開口している。また、外面１１０Ｂには柱状部材２６Ａに対して略回転対称を成すように配置された２つの安全弁２８Ａ、２８Ｂが設けられている。なお、柱状部材２６Ａは、図７に示すように、筒状ケース１１０と一体的に形成されていることが特に好ましいが、筒状ケース１１０に接着して固定される別部材であってもよい。
【００５５】
また、縦長形状のコンデンサでは、省スペース化等を目的として、基板表面に対してコンデンサの軸方向中心線が略平行となるようにコンデンサを基板に取り付けるニーズが大きくなる。この点を考慮すれば、コンデンサ本体２０の直径ＤＣに対する長さＬの比（Ｌ／ＤＣ）は、１．２以上であることが好ましく、１．５以上であることがより好ましい。一方、比（Ｌ／ＤＣ）の上限は特に限定されないが、実用上は１０以下である。なお、ここで言う「長さＬ」とは、凸部２６の高さまたは長さ、および、リード線２４Ａ、２４Ｂの長さを除いた長さを意味する。
【００５６】
本実施形態のコンデンサ１０は、コンデンサ本体２０の形状が柱状であるならば、その種類は特に限定されず、たとえば、（１）アルミ電解コンデンサ、タンタル電解コンデンサ、ニオブコンデンサ等の電解型コンデンサ、（２）電気二重層型コンデンサ、（３）リチウムイオンキャパシタ等のいずれであってもよい。
【００５７】
次に、本実施形態のコンデンサ１０を用いた回路付き基板について説明する。本実施形態の回路付き基板は、厚み方向に貫通する３つ以上の貫通穴を有する基板と、本実施形態のコンデンサ１０とを、少なくとも備える。
【００５８】
ここで、コンデンサ１０が、図３または図４に例示した固定用補助端子３０付きのコンデンサ１０Ｄ、１０Ｅである場合、２本のリード線２４Ａ、２４Ｂおよび固定用補助端子３０が、３つ以上の貫通穴から選択されたいずれか３つの貫通穴に各々差し込まれた状態で、基板に対してコンデンサ１０Ｄ、１０Ｅが基板に固定される。この場合、基板に対してコンデンサ１０Ｄ、１０Ｅを略密着させるように固定することが好ましい。
【００５９】
図９は、第一の本実施形態の回路付き基板の一例を示す模式図であり、具体的には、図３に示す固定用補助端子３０Ａ付きのコンデンサ１０Ｄが基板の表面に固定された状態を示す図である。ここで、図９（Ａ）は、コンデンサ本体２０を側面から見た断面図を示し、図９（Ｂ）は、コンデンサ本体２０の一方の端面側から見た断面図を示し、図９（Ｃ）は、コンデンサ本体２０の他方の端面側から見た断面図を示す。但し、図９（Ａ）中、コンデンサ１０Ｄの断面構造については記載を省略し、側面の外観を示してある。また、図９（Ａ）中に示す基板２１０の断面は、基板２１０の表面２１０Ｔを直線的に切断した場合の断面構造を示すものではなく、棒状部材３４が設けられた位置の断面構造、および、リード線２４Ａが設けられた位置またはリード線２４Ｂが設けられた位置の断面構造について示したものである。
【００６０】
図９に示すように回路付き基板２００Ａ（２００）は、基板２１０と、この基板２１０の表面２１０Ｔに、コンデンサ本体２０の側面が密着して固定されたコンデンサ１０Ｄとを有する。ここで、基板２１０には、基板２１０の厚み方向に貫通する貫通穴２１２Ａ、２１２Ｂ、２１２Ｃが設けられている。貫通穴２１２Ａにはリード線２４Ａが差し込まれ、貫通穴１１２Ｂにリード線２４Ｂが差し込まれ、貫通穴２１２Ｃには棒状部材３４が差し込まれている。なお、リード線２４Ａ、リード線２４Ｂおよび棒状部材３４の先端部は、基板２１０の裏面２１０Ｂに対して若干突出しており、これら先端部近傍の裏面２１０Ｂに対して半田付けすることにより、先端部の周囲は半田２２０により覆われている。なお、基板２１０に対して、コンデンサ１０Ｄを取り付けるに際して、リード線２４Ａ、２４Ｂは、棒状部材３４の軸方向と同じ方向に折り曲げられる。なお、図３に示す固定用補助端子３０Ａ付きのコンデンサ１０Ｄの代わりに、図４に示す固定用補助端子３０Ｂ付きのコンデンサ１０Ｅを用いる場合、回路付き基板２００の作製に際して、棒状部材３４は、リード線２４Ａ、２４Ｂと同じ方向に折り曲げられる。
【００６１】
一方、コンデンサ１０が、図５に例示したコンデンサ１０Ｆである場合、２本のリード線２４Ａ、２４Ｂおよび線状部材４０が、３つ以上の貫通穴から選択されたいずれか３つの貫通穴に各々差し込まれた状態で、基板に対してコンデンサ１０Ｆが固定される。この場合、基板に対してコンデンサ１０Ｆを略密着させるように固定することが好ましい。図１０は、第二の本実施形態の回路付き基板の一例を示す模式断面図であり、図５に示すコンデンサ１０Ｆを用いた回路付き基板について示した図である。但し、図１０中、コンデンサ１０Ｆの断面構造については記載を省略し、側面の外観を示してある。
【００６２】
図１０に示す回路付き基板２００Ｂ（２００）では、線状部材４０が、リード線２４Ａ、２４Ｂと同じ方向に折り曲げられた状態で、貫通穴２１２Ｃに差し込まれている。そして、基板２１０の裏面２１０Ｂに対して若干突出している線状部材４０の先端部が、先端部近傍の裏面２１０Ｂに対して半田付けされている。この点を除けば、図１０に示す回路付き基板２００Ｂは、図９に示す回路付き基板２００Ａと同様の構成を有する。
【００６３】
また、コンデンサ１０が、図６に例示したコンデンサ１０Ｇである場合、２本のリード線２４Ａ、２４Ｂおよび線状端子２６Ｂが、３つ以上の貫通穴から選択されたいずれか３つの貫通穴に各々差し込まれた状態で、基板に対してコンデンサ１０Ｇが固定される。この場合、基板に対してコンデンサ１０Ｇを略密着させるように固定することが好ましい。図１１は、第三の本実施形態の回路付き基板の一例を示す模式断面図であり、図６に示すコンデンサ１０Ｇを用いた回路付き基板について示した図である。但し、図１０中、コンデンサ１０Ｇの断面構造については記載を省略し、側面の外観を示してある。
【００６４】
図１１に示す回路付き基板２００Ｃ（２００）では、線状端子２６Ｂが、リード線２４Ａ、２４Ｂと同じ方向に折り曲げられた状態で、貫通穴２１２Ｃに差し込まれている。そして、基板２１０の裏面２１０Ｂに対して若干突出している線状端子２６Ｂの先端部が、先端部近傍の裏面２１０Ｂに対して半田付けされている。この点を除けば、図１１に示す回路付き基板２００Ｃは、図９に示す回路付き基板２００Ａと同様の構成を有する。
【００６５】
図９〜図１１に例示した本実施形態の回路付き基板２００では、柱状のコンデンサ本体２０は、その軸方向が基板２１０Ｔの表面と平行を成すように、コンデンサ１０Ｄ、１０Ｆ、１０Ｇが基板２１０に固定されている。これに加えて、コンデンサ１０Ｄ、１０Ｆ、１０Ｇが基板２１０の表面２１０Ｔに、柱状のコンデンサ本体２０の側面が密着して固定されている。このため、回路付き基板２００を小型化することができる。これに加えて、コンデンサ１０Ｄ、１０Ｆ、１０Ｇは、その両端面２２Ａ、２２Ｂに設けられた合計３本の端子を介して、基板２００に固定されている。このためコンデンサ１０Ｄ、１０Ｆ、１０Ｇは、基板２００に対してより安定かつ強固に固定され、振動の影響も受けにくい。
【００６６】
さらに、安全弁２８（図９〜図１１中、不図示）は、端面２２Ｂ側に配置されているため、コンデンサ本体２０内のガスが外部に放出される場合、矢印Ｇとして示されるように、必ず基板２１０の表面２１０Ａに対して平行を成し、かつ、特定の方向に放出されることになる。
【符号の説明】
【００６７】
１０、１０Ａ、１０Ｂ、１０Ｃ、１０Ｄ、１０Ｅ、１０Ｆ、１０Ｇ  コンデンサ
２０  コンデンサ本体
２２Ａ、２２Ｂ  端面
２４Ａ、２４Ｂ  リード線（電極端子）
２６  凸部
２６Ａ  柱状部材（凸部）
２６ＡＴ  頂面
２６Ｂ  線状端子（凸部）
２８、２８Ａ、２８Ｂ、２８Ｃ、２８Ｄ  安全弁
３０、３０Ａ、３０Ｂ  固定用補助端子
３２  リング状部材
３４  棒状部材
３６  筒状部材
３６Ｂ  底部
５０  筒状ケース
５０Ｂ  底部
５２  コンデンサ素子
１００  コンデンサ用ケース
１１０  筒状ケース
１１０Ｂ  外面
２００、２００Ａ、２００Ｂ、２００Ｃ  回路付き基板
２１０  基板
２１０Ｔ  表面
２１０Ｂ  裏面
２１２Ａ、２１２Ｂ、２１２Ｃ  貫通穴
２２０  半田
【図１】
2012077460.tif 000003
【図２】
2012077460.tif 000004
【図３】
2012077460.tif 000005
【図４】
2012077460.tif 000006
【図５】
2012077460.tif 000007
【図６】
2012077460.tif 000008
【図７】
2012077460.tif 000009
【図８】
2012077460.tif 000010
【図９】
2012077460.tif 000011
【図１０】
2012077460.tif 000012
【図１１】
2012077460.tif 000013
【手続補正書】
【提出日】平成25年5月27日(2013.5.27)
【手続補正１】
【補正対象書類名】特許請求の範囲
【補正対象項目名】全文
【補正方法】変更
【補正の内容】
【特許請求の範囲】
【請求項１】
略柱状のコンデンサ本体と、
前記コンデンサ本体の一方の端面に設けられた２本の電極端子と、
前記コンデンサ本体の他方の端面の略中央部に設けられた凸部と、
前記他方の端面に設けられた２つ以上の安全弁と、を少なくとも有し、
前記他方の端面において、前記２つ以上の安全弁が、前記凸部に対して略回転対称を成すように配置され、かつ、
前記凸部の軸方向中心線と、前記コンデンサの軸方向中心線とが略一致していることを特徴とするコンデンサ。
【請求項２】
請求項１に記載のコンデンサにおいて、
前記他方の端面に、前記安全弁が２つ設けられていることを特徴とするコンデンサ。
【請求項３】
請求項１または２に記載のコンデンサにおいて、
前記凸部が、柱状部材からなり、
前記柱状部材に対して、固定用補助端子が取り付けられていることを特徴とするコンデンサ。
【請求項４】
請求項１または２に記載のコンデンサにおいて、
前記凸部が、柱状部材からなり、
前記柱状部材の頂面に線状部材が取り付けられていることを特徴とするコンデンサ。
【請求項５】
請求項１または２に記載のコンデンサにおいて、
前記凸部が、線状端子であることを特徴とするコンデンサ。
【請求項６】
請求項３または４に記載のコンデンサにおいて、
前記コンデンサ本体が、
コンデンサ素子と、
該コンデンサ素子に接続された前記２本の電極端子と、
前記コンデンサ素子を収納する底付きの筒状ケースと、
該筒状ケースの底部の外面の略中央部に設けられた前記柱状部材と、を少なくとも備え、
前記筒状ケースと前記柱状部材とが一体成形されていることを特徴とするコンデンサ。
【請求項７】
請求項１〜６のいずれか１つに記載のコンデンサにおいて、
前記コンデンサ本体の直径に対する前記コンデンサ本体の長さの比が、１．２以上であることを特徴とするコンデンサ。
【請求項８】
底付きの筒状ケースと、
該筒状ケースの底部の外面の略中央部に設けられた凸部と、
前記外面において、前記凸部に対して略回転対称を成すように配置された２つ以上の安全弁と、を少なくとも有することを特徴とするコンデンサ用ケース。
【請求項９】
厚み方向に貫通する３つ以上の貫通穴を有する基板と、
請求項３、６、７のいずれか１つに記載のコンデンサと、を少なくとも備え、
前記２本の電極端子および前記固定用補助端子が、前記３つ以上の貫通穴から選択されたいずれか３つの貫通穴に各々差し込まれた状態で、前記コンデンサが前記基板に固定されていることを特徴とする回路付き基板。
【請求項１０】
厚み方向に貫通する３つ以上の貫通穴を有する基板と、
請求項４、６、７のいずれか１つに記載のコンデンサと、を少なくとも備え、
前記２本の電極端子および前記柱状部材の頂面に設けられた線状部材が、前記３つ以上の貫通穴から選択されたいずれか３つの貫通穴に各々差し込まれた状態で、前記コンデンサが前記基板に固定されていることを特徴とする回路付き基板。
【請求項１１】
厚み方向に貫通する３つ以上の貫通穴を有する基板と、
請求項５または７に記載のコンデンサと、を少なくとも備え、
前記２本の電極端子および前記他方の端面に設けられた線状端子が、前記３つ以上の貫通穴から選択されたいずれか３つの貫通穴に各々差し込まれた状態で、前記コンデンサが前記基板に固定されていることを特徴とする回路付き基板。
【手続補正２】
【補正対象書類名】明細書
【補正対象項目名】０００５
【補正方法】変更
【補正の内容】
【０００５】
【特許文献１】実開平０１−１２９８１９号公報（図１）
【特許文献２】特開平９−９７７４１号公報（図１、図１５等）
【特許文献３】特開昭６４−５５８１８号公報（図４、図５等）
【特許文献４】特開平４−３７１１０号公報（図１等）
【特許文献５】実開昭６２−６８２２５号公報（図１等）
【特許文献６】実開昭５４−２１４０号公報（図３等）
【手続補正３】
【補正対象書類名】明細書
【補正対象項目名】００１６
【補正方法】変更
【補正の内容】
【００１６】
本発明のコンデンサの他の実施態様は、コンデンサ本体の直径に対するコンデンサ本体の長さの比が、１．２以上であることが好ましい。
【手続補正４】
【補正対象書類名】明細書
【補正対象項目名】００２２
【補正方法】変更
【補正の内容】
【００２２】
【図１】本実施形態のコンデンサの一例を示す概略模式図である。ここで、図１（Ａ）は、コンデンサを側面側から見た側面図であり、図１（Ｂ）は、コンデンサを上面側から見た上面図であり、図１（Ｃ）は、コンデンサを凸部が設けられた端面側から見た正面図である。
【図２】本実施形態のコンデンサの他の例を示す正面図である。
【図３】本実施形態のコンデンサの他の例を示す概略模式図である。
【図４】本実施形態のコンデンサの他の例を示す概略模式図である。ここで図４（Ａ）は、コンデンサ本体を側面から見た側面図であり、図４（Ｂ）は、図４（Ａ）の断面図である。
【図５】本実施形態のコンデンサの他の例を示す側面図である。
【図６】本実施形態のコンデンサの他の例を示す側面図である。
【図７】本実施形態のコンデンサに用いるコンデンサ本体の断面構造の一例を示す模式断面図である。
【図８】本実施形態のコンデンサ用ケースの一例を示す模式図である。ここで、図８（Ａ）は、コンデンサ用ケースの側面図であり、図８（Ｂ）は、コンデンサ用ケースの正面図である。
【図９】第一の本実施形態の回路付き基板の一例を示す模式図である。ここで、図９（Ａ）は、コンデンサ本体を側面から見た断面図を示し、図９（Ｂ）は、コンデンサ本体の一方の端面側から見た断面図を示し、図９（Ｃ）は、コンデンサ本体の他方の端面側から見た断面図を示す。
【図１０】第二の本実施形態の回路付き基板の一例を示す模式断面図である。
【図１１】第三の本実施形態の回路付き基板の一例を示す模式断面図である。
【手続補正５】
【補正対象書類名】明細書
【補正対象項目名】００２５
【補正方法】変更
【補正の内容】
【００２５】
ここで、図１（Ｃ）に示すように、他方の端面２２Ｂにおいて、安全弁２８Ａおよび安全弁２８Ｂは、柱状部材２６Ａに対して略回転対称を成すように配置されている。また、図１（Ａ）および図１（Ｂ）に示すように、柱状部材２６Ａの軸方向中心線と、コンデンサ本体２０の軸方向中心線Ｃ１とは略一致している。すなわち、この軸方向中心線Ｃ１は、コンデンサ１０Ａの軸方向中心線ともなっている。
【手続補正６】
【補正対象書類名】明細書
【補正対象項目名】００２９
【補正方法】変更
【補正の内容】
【００２９】
ここで、安全弁２８の数が１つである場合、後述する軸ズレ防止という観点で、凸部２６に対する安全弁２８の配置には、対称性が欠けることになる。これに加えて、安全弁２８は、コンデンサ本体２０内が高圧となった際に、圧力が集中して開裂しやすいように、端面２２Ｂを構成する金属板部分に対して、プレス加工するなどにより形成される。このため、安全弁２８の形成に際して、コンデンサ本体２０の軸方向中心線Ｃ１に対して、端面２２Ｂに設けられた凸部２６の中心軸が大きく傾斜してしまうことは避けられない。このような軸ズレが生じた場合、回路付き基板を作製する際に、コンデンサ１０の基板への取り付けが困難となる。また、軸ズレを有するコンデンサ１０を基板に取り付けようとした場合、コンデンサ１０毎に軸ズレの度合が異なる点を考慮して、手作業で軸ズレを修正する必要があるため、作業が極めて煩雑になる。
【手続補正７】
【補正対象書類名】明細書
【補正対象項目名】００３０
【補正方法】変更
【補正の内容】
【００３０】
しかしながら、本実施形態のコンデンサ１０では、端面２２Ｂの略中央部に配置された凸部２６に対して、略回転対称を成すように２つ以上の安全弁２８が設けられる。このため、安全弁２８の形成に際して、コンデンサ本体２０の軸方向中心線Ｃ１に対して、端面２２Ｂに設けられた凸部２６の中心軸が大きく傾斜してしまうことが無い。それゆえ、上述したような問題が生じるのを防ぐことができる。
【手続補正８】
【補正対象書類名】明細書
【補正対象項目名】００３３
【補正方法】変更
【補正の内容】
【００３３】
ここで、凸部２６に対して、複数個の安全弁２８から選択されたいずれか１つの安全弁２８（たとえば、図１および図２中の安全弁２８Ａ)の配置位置を基準角度（０度）とした場合、円周方向に隣接して配置された他の安全弁２８（図１では安全弁２８Ｂ、図２（Ａ）では安全弁２８Ｂ、２８Ｃ、図２（Ｂ）では安全弁２８Ｂ、２８Ｄ）の凸部２６に対する配置角度θは、回路付き基板へのコンデンサ１０の取付時に支障を来す軸ズレを抑制する観点から、以下の通りであることが好ましい。すなわち、安全弁２８の数が２つの場合（略２回対称の場合）、配置角度θは１８０度±３０度の範囲内が好ましく、１８０度±２２．５度の範囲内がより好ましい。また、安全弁２８の数が３つの場合（略３回対称の場合）、配置角度θは１２０度±３０度の範囲内が好ましく、１２０度±２２．５度の範囲内がより好ましい。また、安全弁２８の数が４つの場合（略４回対称の場合）、配置角度θは９０度±２２．５度の範囲内が好ましく、９０度±１５度の範囲内がより好ましい。
【手続補正９】
【補正対象書類名】明細書
【補正対象項目名】００３８
【補正方法】変更
【補正の内容】
【００３８】
図３は、本実施形態のコンデンサの他の例を示す模式図であり、図１または図２に示すコンデンサ本体２０の柱状部材２６Ａに固定用補助端子３０Ａ（３０）が取り付けられた状態を示す模式図である。ここで、図３（Ａ）は、図１（Ａ）と同様にコンデンサ本体２０を側面から見た側面図であり、図３（Ｂ）は、図１（Ｃ）と同様にコンデンサ本体２０を端面２２Ｂ側から見た正面図である。なお、図３（Ｂ）中、安全弁２８については記載を省略してある。
【手続補正１０】
【補正対象書類名】明細書
【補正対象項目名】００４４
【補正方法】変更
【補正の内容】
【００４４】
図３および図４に示した例では、柱状部材２６Ａに固定用補助端子３０を取り付けることで、補助端子としての機能を確保している。しかしながら、図５に示すコンデンサ１０Ｆ（１０）のように、柱状部材２６Ａの頂面２６ＡＴに線状部材４０を取り付けたり、図６に示すコンデンサ１０Ｇ（１０）ように、凸部２６として、柱状部材２６Ａの代わりに線状端子２６Ｂを用いることで、補助端子としての機能を確保することもできる。なお、線状部材４０は、溶接または接着により、頂面２６ＡＴに取り付けることができる。また、線状端子２６Ｂは、溶接または接着により、端面２２Ｂの中央部近傍に取り付けることができる。そして、回路付き基板の作製に際して、コンデンサ１０Ｆを取り付ける場合には、２本のリード線２４Ａ、２４Ｂ（図６中、不図示）および線状部材４０は、３本共に同じ方向に折り曲げられた後、基板の貫通穴に差し込まれ、半田付けされる。同様に、回路付き基板の作製に際して、コンデンサ１０Ｇを取り付ける場合には、２本のリード線２４Ａ、２４Ｂ（図５中、不図示）および線状端子２６Ｂは、３本共に同じ方向に折り曲げられた後、基板の貫通穴に差し込まれ、半田付けされる。
【手続補正１１】
【補正対象書類名】明細書
【補正対象項目名】００４５
【補正方法】変更
【補正の内容】
【００４５】
ここで、柱状部材２６Ａは、折り曲げ困難な太さおよび材質を有する柱状部材であり、具体的には、直径が１ｍｍ以上のアルミニウム、アルミニウム合金等からなる金属製の柱状部材を意味する。柱状部材２６Ａを構成する材料は、電解コンデンサ本体２０の外殻を構成するコンデンサ用ケースと同じ材料か構成されることが好ましい。なお、柱状部材２６Ａの直径は１．５ｍｍ〜５ｍｍの範囲内が好ましい。また、線状部材４０または線状端子２６Ｂは、折り曲げ容易な太さおよび材質を有する柱状部材であり、具体的には直径が１．５ｍｍ以下の銅、銅合金、鉄、Ｃｐ線等の半田に対する濡れ性の高い材料からなるリード線またはメッキコート付きのリード線等の金属線材を意味する。なお、線状部材４０または線状端子２６Ｂの直径は０．４ｍｍ〜１．２ｍｍの範囲内が好ましい。また、柱状部材２６Ａ、線状部材４０または線状端子２６Ｂの断面形状が円形以外の場合、「直径」とは、当該断面と同じ面積を有する円の直径（面積換算直径）を意味する。
【手続補正１２】
【補正対象書類名】明細書
【補正対象項目名】００５２
【補正方法】変更
【補正の内容】
【００５２】
ここで、式（１）中、Ｈｐは、柱状部材２６Ａの高さ（ｍｍ）を表し、ＤＣは、コンデンサ本体２０の直径（ｍｍ）を表す。高さＨｐをコンデンサ本体２０の直径ＤＣ／１．５以下とすることにより、従来の補助端子付きのコンデンサあるいは図６に例示した線状端子２６Ｂ付きのコンデンサ本体２０と比べて、図１〜図５に例示した柱状部材２６Ａ付きのコンデンサ本体２０の長さを非常にコンパクトなものとすることができる。このため、図１〜図５に例示した柱状部材２６Ａ付きのコンデンサ本体２０またはその中間製品の作製に際して、従来の補助端子付きのコンデンサあるいは図６に例示した線状端子２６Ｂ付きのコンデンサ本体２０と比べて、取り扱いが極めて容易になる。これに加えて、既存の補助端子の無いコンデンサ用の製造ラインに対して多少の改造を加えるのみで、あるいは、実質的に殆ど改造すること無く、図１〜図５に例示したコンデンサ１０Ａ、１０Ｂ、１０Ｃ、１０Ｄ、１０Ｅ、１０Ｆを製造することも極めて容易となる。なお、高さＨｐは、ＤＣ／１〜ＤＣ／１．５の範囲内がより好ましい。
【手続補正１３】
【補正対象書類名】明細書
【補正対象項目名】００６０
【補正方法】変更
【補正の内容】
【００６０】
図９に示すように回路付き基板２００Ａ（２００）は、基板２１０と、この基板２１０の表面２１０Ｔに、コンデンサ本体２０の側面が密着して固定されたコンデンサ１０Ｄとを有する。ここで、基板２１０には、基板２１０の厚み方向に貫通する貫通穴２１２Ａ、２１２Ｂ、２１２Ｃが設けられている。貫通穴２１２Ａにはリード線２４Ａが差し込まれ、貫通穴２１２Ｂにリード線２４Ｂが差し込まれ、貫通穴２１２Ｃには棒状部材３４が差し込まれている。なお、リード線２４Ａ、リード線２４Ｂおよび棒状部材３４の先端部は、基板２１０の裏面２１０Ｂに対して若干突出しており、これら先端部近傍の裏面２１０Ｂに対して半田付けすることにより、先端部の周囲は半田２２０により覆われている。なお、基板２１０に対して、コンデンサ１０Ｄを取り付けるに際して、リード線２４Ａ、２４Ｂは、棒状部材３４の軸方向と同じ方向に折り曲げられる。なお、図３に示す固定用補助端子３０Ａ付きのコンデンサ１０Ｄの代わりに、図４に示す固定用補助端子３０Ｂ付きのコンデンサ１０Ｅを用いる場合、回路付き基板２００の作製に際して、棒状部材３４は、リード線２４Ａ、２４Ｂと同じ方向に折り曲げられる。
【手続補正１４】
【補正対象書類名】明細書
【補正対象項目名】００６３
【補正方法】変更
【補正の内容】
【００６３】
また、コンデンサ１０が、図６に例示したコンデンサ１０Ｇである場合、２本のリード線２４Ａ、２４Ｂおよび線状端子２６Ｂが、３つ以上の貫通穴から選択されたいずれか３つの貫通穴に各々差し込まれた状態で、基板に対してコンデンサ１０Ｇが固定される。この場合、基板に対してコンデンサ１０Ｇを略密着させるように固定することが好ましい。図１１は、第三の本実施形態の回路付き基板の一例を示す模式断面図であり、図６に示すコンデンサ１０Ｇを用いた回路付き基板について示した図である。但し、図１１中、コンデンサ１０Ｇの断面構造については記載を省略し、側面の外観を示してある。
【手続補正１５】
【補正対象書類名】明細書
【補正対象項目名】００６５
【補正方法】変更
【補正の内容】
【００６５】
図９〜図１１に例示した本実施形態の回路付き基板２００では、柱状のコンデンサ本体２０は、その軸方向が基板２１０の表面２１０Ｔと平行を成すように、コンデンサ１０Ｄ、１０Ｆ、１０Ｇが基板２１０に固定されている。これに加えて、コンデンサ１０Ｄ、１０Ｆ、１０Ｇが基板２１０の表面２１０Ｔに、柱状のコンデンサ本体２０の側面が密着して固定されている。このため、回路付き基板２００を小型化することができる。これに加えて、コンデンサ１０Ｄ、１０Ｆ、１０Ｇは、その両端面２２Ａ、２２Ｂに設けられた合計３本の端子を介して、基板２１０に固定されている。このためコンデンサ１０Ｄ、１０Ｆ、１０Ｇは、基板２１０に対してより安定かつ強固に固定され、振動の影響も受けにくい。
【手続補正１６】
【補正対象書類名】明細書
【補正対象項目名】００６６
【補正方法】変更
【補正の内容】
【００６６】
さらに、安全弁２８（図９〜図１１中、不図示）は、端面２２Ｂ側に配置されているため、コンデンサ本体２０内のガスが外部に放出される場合、矢印Ｇとして示されるように、必ず基板２１０の表面２１０Ｔに対して平行を成し、かつ、特定の方向に放出されることになる。
【手続補正１７】
【補正対象書類名】図面
【補正対象項目名】図３
【補正方法】変更
【補正の内容】
【図３】
2012077460.tif 000014
【手続補正１８】
【補正対象書類名】図面
【補正対象項目名】図４
【補正方法】変更
【補正の内容】
【図４】
2012077460.tif 000015
【手続補正１９】
【補正対象書類名】図面
【補正対象項目名】図７
【補正方法】変更
【補正の内容】
【図７】
2012077460.tif 000016
【国際調査報告】
2012077460.tif 000017
2012077460.tif 000018